(57)【要約】【課題】既設のビルやマンションの出入り口の開錠を簡単に実行できる。【解決手段】サーバの記憶手段には、複数のテナントの電話番号を登録しておく。また、サーバの検索手段は前記記憶手段に登録されている電話番号からの発呼があったときに、同一番号が記憶されているか否かを検索する。サーバの指示手段は、同一番号があるときインターネット網経由でウェブキーに開錠指示信号を送る。キー装置に備えるウェブキーは前記開錠指示信号が届いたときに電気錠に対して開錠指示を出す。電気錠は、前記開錠指示を受けて開錠する。前記インターネット網は、電話回線を利用した網であっても電波通信を利用した網であってもよい。これによって、安価に既設のビルやマンションの開錠システムを実現できる。【選択図】図１
2016208143.tif 000002
【特許請求の範囲】
【請求項１】
ビルテナントの開錠指示に基づいて、ビルの入り口の開錠を行う開錠システムであって、
複数のテナントの電話番号を登録するサーバ側の記憶手段と、
登録されている電話番号から電話網経由での発呼があったときに、同一番号が記憶されているか否かを検索するサーバに備える検索手段と、
前記同一番号があるときインターネット網経由でウェブキーに開錠指示信号を送るサーバに備えた指示手段と、
前記開錠指示信号が届いたときに電気錠に対して開錠指示を出すキー装置に備えたウェブキーと、
ウェブキーからの開錠指示を受けて開錠するキー装置に備えた電気錠を
備えたことを特徴とする開錠システム。
【請求項２】
前記インターネット網が、電話回線を利用した網である請求項１に記載の開錠システム。
【請求項３】
前記インターネット網が、電波通信を利用した網である請求項１に記載の開錠システム。
【発明の詳細な説明】
【技術分野】
【０００１】
本発明は開錠システムに関し、特に、ビル、マンション等の開錠システムに関するものである。
【背景技術】
【０００２】
ビルやマンションがセキュリティの都合上、開錠しない限り入れないようになっている場合、あるいは昼間はメインの出入り口が開いて自由に出入りできるが、所定時間以降、メインの出入り口を閉じて、施錠された通用門を開錠してからでないと入れない場合がある。この場合、特定のテナントを尋ねたい客、あるいはテナント自身が外出から帰ってきたときに開錠の必要がある。
【０００３】
新しいビルやマンションは新しいシステムで独自の開錠システムを接地することは簡単であるが、既設のビルやマンションで新しいシステムを導入しようとすると、ケーブルの設置等の難しい問題がある。そこで電話回線を利用した以下のようなシステムが検討されることになる。
【０００４】
図２は、従来から使用されている開錠システムの一例を示すものである。ビル１のテナント１１a、１１b・・のうちの特定のテナント１１nを尋ねる客が施錠された通用口の前にいる場合を想定する。まず、客からテナント１１nに対して通用門の前にいることが知らされ、これを受けてテナント１１nは子機５０に対して電話網経由で発呼をする。子機５０に内臓する記憶手段５３には、当該ビル１のテナント１１a、１１b・・が登録されており、当該子機５０の検索手段５１は、電話網７０を介して伝送される前記発呼信号に含まれるテナント１１nの電話番号と、予め登録されている電話番号を比較する。これによって、受信した電話番号が登録されている電話番号のなかにある場合は、セッションを確立する。この状態でテナント側から開錠信号を送ると、子機５０の開錠手段５２が、電子錠６０に開錠指示を出し通用口１２の錠を開錠することになる。
【先行技術文献】
【特許文献】
【０００５】
【特許文献１】特開平６−２４４９７０号公報
【発明の概要】
【発明が解決しようとする課題】
【０００６】
上記従来のシステムによると、テナントが開錠を要求する電話を掛ける毎にセッションが確立することになるので、この度に電話代が発生することになる。また、当該システムは１のビル単位で完結し、例えば、テナントの入れ替えがあったときには各ビルの子機に内臓する記憶手段５３の記憶内容を書き換える必要があり、保守要員が各ビルまで足を運んで登録内容を更新することになる。従って、ビルの数が多いと保守の手数かかる欠点があった。
【０００７】
上記従来のシステムで、多数のビルのテナントをサーバで一元管理することは可能である。しかしながら、この場合であっても、子機が電話受信して初めて開錠する仕組みである以上、サーバは、テナントからの電話を受けて、自己の管理する電話番号に一致する番号があれば、子機に対して電話網を介して開錠指示を出すことになる。従って、サーバはテナントからの電話を受ける機能と、子機への電話を発呼する機能が必要となり、更に子機は電話を受ける機能が必要になる。
【０００８】
一般に電話を発受信する機構はコストが高い上、電話代がかかることになり、システムそのもののコスト、システム導入後の維持コストのいずれも高くつくことになる。
【０００９】
本発明は上記従来の事情に鑑みて提案されたものであって、システムコスト、維持コストのいずれも安価でしかも一元管理のできる開錠システムを提供するものである。
【課題を解決するための手段】
【００１０】
本発明は、ビルテナントの開錠指示に基づいて、ビルの入り口の開錠を行う開錠システムである。サーバの記憶手段には、複数のテナントの電話番号を登録しておく。また、サーバの検索手段は前記記憶手段に登録されている電話番号からの発呼があったときに、同一番号が記憶されているか否かを検索する。サーバの指示手段は、同一番号があるときインターネット網経由でウェブキーに開錠指示信号を送る。キー装置に備えるウェブキーは前記開錠指示信号が届いたときに電気錠に対して開錠指示を出す。電気錠は、前記開錠指示を受けて開錠する。
【００１１】
前記インターネット網は、電話回線を利用した網であっても電波通信を利用した網であってもよい。
【発明の効果】
【００１２】
電話の送受信機能がなくても、キー装置にインターネットの受信機能がある制御装置（上記検索手段、指示手段、記憶手段）を利用することによって、当該システムが実現でき、設備コストが安くなる。また、テナントからサーバへの電話回線の利用は発呼だけで足りるの（フックOFFしない）で、いわゆる電話代が掛からない。さらに、テナントに設備や機器を新たに設置することがないのでテナントの了解を得る等の手間が省ける。
【図面の簡単な説明】
【００１３】
【図１】本発明の錠開閉システムを示すブロック図。
【図２】従来の錠開閉システムを示すブロック図。
【発明を実施するための形態】
【００１４】
図１は本発明の概要を示す機能ブロック図である。
【００１５】
ビルのオーナは複数のビル１n（nはa,b,・・）を所有し、各ビル１nにはそれぞれ複数のテナント１１n（nはa,b,・・）があり、通用口にはキー装置２が設置されている。当該キー装置２は、後に説明するようにインターネットで接続されたビーネットキーサーバ３から送受信手段２３を介してウェブキー２１で受けるようになっている。当該ウェブキー２１からの指示に従って開錠する電気錠２２が設けられている。
【００１６】
一方、前記テナント１１nの入っている場所とは別の場所には、ビーネットキーサーバ３が置かれ、その記憶手段３１には、前記ビル１aをはじめとする同じオーナのビル１nのテナント１１nの電話番号が記憶されている。当該ビーネットキーサーバ３は、インターネット回線を通じて、前記キー装置２の送受信手段２３から間歇的に発信されるキープアライブ信号を送受信手段３６で受信し、監視手段３２で常時セッションの状態を確認するようになっている。当該、キープアライブ信号の伝送を媒介するインターネット網８０は、電話線を利用する網であっても、無線通信網を利用する網であってもよい。
【００１７】
上記したように通常は、前記ビーネットキーサーバ３と前記キー装置２のセッションは確立した状態にされている。
【００１８】
上記の状態で、ビル1nのテナント１１nが開錠したいとき、まず、電話回線７０を通じてビーネットキーサーバ３に発呼する。当該発呼信号はベネットサーバ３の受信手段３５で受信され、検索手段３３に送られる。前記発呼信号には当該特定のテナント１１nの電話番号が含まれているので、検索手段３３は当該電話番号を抽出して、記憶手段３１に登録する電話番号に一致する番号があるか否かを検索する。ここで一致する電話番号があるとき、当該検索手段３３は、指示手段３４にその旨を通知する。当該通知を受けた指示手段３２は、開錠指示信号を作成して、送受信手段３６を介してインターネット網８０を通じて、キー装置２に伝送する。キー装置３の送受信手段２３で受信された開錠指示信号はウェブキー２１に伝送され、当該ウェブキー２１では開錠信号を作成して電気錠２２に開錠を促すことになる。
【００１９】
尚、前記電話回線７０を通じての発呼時は、発呼信号を受けるだけで足り、テナント１１nとビーネットキーサーバ３間で通話ができる状態（セッションが確立したの状態）を形成する必要はない。
【００２０】
電話設備はすでにテナントにある設備を利用すれば足り、また、テナントからの操作は発呼だけでよいので、テナント側の、設備コストと、運用コストは一切不要となる。また、ウェブキー２１は、インターネット網から得られる開錠指示信号を受信するだけの機能があれば足り、非常に安い制御手段を用いることができる。更に、テナントの解約、新規契約に対応して各ビルに赴く必要はなく、ビーネットキーサーバの記憶手段３４の登録更新で足りることになる。
【００２１】
また、無線通信を使用するインターネット網を使用すれば、携帯電話でベネットサーバを呼び出すことで、テナント自信が外出から帰ってきたときにも簡単に開錠できる。
【産業上の利用可能性】
【００２２】
上記したように本発明は、既存のインフラ設備を用いて多数のビルをサーバで集中管理することができ、しかも、ユーザ側に一切の費用を発生しないので、多数あるテナントの意見の調整をすることなく既存のビルやマンションに設置することができる。
【符号の説明】
【００２３】
１n  ビル
２  キー装置
３  ビーネットキーサーバ
２１  ウェブキー
２２  電気錠
３２  監視手段
３３  検索手段  
７０  電話回線
８０インターネット網
【図１】
2016208143.tif 000003
【図２】
2016208143.tif 000004